(57)【要約】【課題】回路短絡により過電流が流れ、他回路の２次破壊を引き起こす可能性がある場合や、スイッチング電源が過電流制限回路動作による間欠発振動作が持続する場合に、スイッチング電源回路の動作を完全に停止させ、テレビジョン受像機の発煙、発火を未然に防止する。【解決手段】フライバックトランス１５から出力されるパルス電圧をマイクロコンピュータ１３に入力し、前記パルス電圧が回路短絡やスイッチング電源回路の間欠発振により、前記マイクロコンピュータ１３によってあらかじめ設定されている設定値を逸脱した場合に、前記マイクロコンピュータ１３より電源リレー７をＯＦＦさせる信号を出力させ、電源回路への電源供給を停止させる。【選択図】  図１
2004187060.tif 000002
【特許請求の範囲】
【請求項１】
フライバックトランスから出力されるパルス電圧の振幅を判別する振幅判別回路と、前記パルス電圧のパルス数をカウントするカウント回路を有し、前記振幅判別回路が所定の電圧値より低いと判断し且つ、又は前記カウント回路が一定時間内に所定のカウント数に達しなかった場合に、リレーで電源を遮断するテレビジョン受像機の保護装置。
【請求項２】
一定時間内にフライバックトランスから出力されているパルス数が所定数を下回る場合に電源を遮断することを特徴とする請求項１記載のテレビジョン受像器の保護装置。
【発明の詳細な説明】
【０００１】
【発明の属する技術分野】
本発明は、テレビジョン受像機の長期間使用による部品の劣化や塵埃による回路短絡により過電流が流れ、他回路の２次破壊を引き起こすことを防止するとともに、テレビジョン受像機の不具合を未然に防止することを可能とするテレビジョン受像機の保護装置に関するものであり、特に前記回路異常時に電源供給を停止するテレビジョン受像機の保護装置に関するものである。
【０００２】
【従来の技術】
従来のテレビジョン受像機の保護装置としては、フライバックパルス電圧の変動を検出して保護を行うものとして特許文献１、またスイッチング電源の出力電圧の変動をカウントして保護を行うものとして特許文献２に記載されているものが知られている。
【０００３】
【特許文献１】
特開平１０−２４３２５２号公報
【特許文献２】
特開平９−９３４５２号公報
【０００４】
【発明が解決しようとする課題】
しかしながら、上記従来のテレビジョン受像機の保護装置において回路異常の検出は、電圧低下検出回路内部の所定の電圧と入力電圧の大小を比較して判別しているだけであるため、パルス電圧が出荷時の電圧と比較して低下している場合でも所定の電圧を下回るまでは検出ができない問題がある。例えば、フライバックトランスの内部巻き線の半ショートやフライバックトランスのリード端子半田接合部割れなどによる漏れ電流が微少な回路異常は、フライバックトランスから出力されている電圧の低下が微小な為、検出できず、異常回路部分が長時間放置されて拡大被害に至る可能性があるという問題点があった。又、電圧低下検出回路にツェナーダイオードを用いている為、検出電圧を精度良く設定することや任意の値に設定することは非常に困難であるという問題点があった。
本発明は上記従来の問題点を解決するものであり、微小な漏れ電流による回路異常を精度良く検出でき、フライバックトランスに電源を供給するスイッチング電源の間欠発振状態も検出することができるテレビジョン受像機の保護装置を提供することを目的とするものである。これによりテレビジョン受像機の安全性の確保と信頼性の向上を図ることができる
【０００５】
【課題を解決するための手段】
上記目的を達成するために本発明のテレビジョン受像機の保護装置は、フライバックトランスから出力されているパルス電圧の振幅を判別する振幅判別回路と、前記パルス電圧のパルス数をカウントするカウント回路を有し、前記振幅判別回路が所定の電圧値より低いと判断し且つ、又は前記カウント回路が一定時間内に所定のカウント数に達しなかった場合に、リレーで電源を遮断する構成にしたことを特徴としたものである。
これにより、微小な漏れ電流による回路異常も精度良く検出でき、同じ検出回路でフライバックトランスに電源を供給するスイッチング電源の間欠発振状態をも検出できるテレビジョン受像機の保護回路装置が得られ、安全性の確保と信頼性の向上を実現できる。
【０００６】
【発明の実施の形態】
本発明の請求項１に記載の発明は、フライバックトランスから出力されているパルス電圧の振幅を判別する振幅判別回路と、前記パルス電圧のパルス数をカウントするカウント回路を有し、前記振幅判別回路が所定の電圧値より低いと判断し且つ、又は前記カウント回路が一定時間内に所定のカウント数に達しなかった場合に、リレーで電源を遮断するように構成したことを特徴とするものであり、フライバックトランスやテレビジョン受像機の回路における短絡異常とスイッチング電源回路の間欠発振動作の両方を検出できるという作用がある。
【０００７】
また、本発明の請求項２に記載の発明は、一定時間内にフライバックトランスから出力されているパルス数が所定数を下回る場合に電源を遮断することを特徴としたものでありスイッチング電源動作を完全に停止させることにより、回路異常時の拡大被害を防止することができるという作用がある。
【０００８】
（実施の形態）
以下に、本発明の実施の形態におけるテレビジョン受像機の保護装置ついて、図１を参照しながら説明する。
【０００９】
図１は、本発明の一実施例におけるテレビジョン受像機の保護装置の構成ブロック図である。
図１において、１は電源整流ブリッジダイオード、２は平滑コンデンサ、３はスイッチングトランス、４はスイッチング電源ＩＣ、５はスイッチング電源ＩＣに内蔵されたスイッチングトランジスタ、６はスイッチングトランジスタ過電流を検出するための過電流検出抵抗、７はスイッチング電源回路への電源供給を開閉する電源リレー、８はスイッチング電源回路の２次側出力電圧の整流ダイオード、９は平滑コンデンサ、１０はカウント回路、１１は振幅判別回路、１２は電源リレーコントロール、１３はマイクロコンピュータ、１４は水平を発振させる水平トランジスタ、１５はフライバックトランス、１６は前記フライバックトランス１５から出力されるパルス電圧を前記マイクロコンピュータ１３に入力可能なパルス電圧に振幅を設定する電圧変換回路である。
以上のように構成されたテレビジョン受像機の保護装置について以下その内容を説明する。
第１の例として、フライバックトランス１５内で各巻き線間がレイアショート、半ショート又は、テレビジョン受像機の回路に短絡異常等が発生したケースについて説明する。このような異常が発生した場合にはフライバックトランス１５から出力されるパルス電圧が低下する。パルス電圧出力は電圧変換回路１６に入力されてその結果が振幅判別回路１１に伝えられる。前記マイクロコンピュータ１３は振幅判別回路１１の出力があらかじめ設定された設定値よりも小さいため、前記フライバックトランス１５内で各巻き線間がレイアショート、又はテレビジョン受像機の回路に短絡異常等が発生したと判断し、電源リレーコントロール１２により電源リレー７をＯＦＦさせ前記フライバックトランス１５に電源を供給しているスイッチング電源への電源供給を停止させる。この場合ツェナーダイオードを用いない電圧判定であるため、異常と判定する電圧を精度良く、かつ広範囲で任意の値に設定することが可能となる。
第２の例としてフライバックトランスの内部巻き線の半ショートやフライバックトランスのリード端子半田接合部割れなどによる漏れ電流が微少な回路異常が発生してフライバックトランスから出力されている電圧に微小な低下が発生したケースについて説明する。この場合マイクロコンピュータ１３はある時点、たとえば出荷時点での振幅判別回路１１の出力を記憶しておく。この値を基準として現在のパルス電圧と比較を行い一定以上の差が発生するとマイクロコンピュータ１３は半ショートや半田接合部割れなどの不具合が発生していると判断し、電源リレーコントロール１２により電源リレー７をＯＦＦさせ前記フライバックトランス１５に電源を供給しているスイッチング電源への電源供給を停止させる
第３の例として過電流保護回路が動作し、間欠発振状態になるケースについて説明する。フライバックトランス１５に電源を供給しているスイッチング電源回路で過電流保護が動作するとスイッチング電源回路が間欠発振状態になる。この状態ではスイッチング電源回路の２次側出力電圧はＯＮ／ＯＦＦを繰り返す。この電圧がフライバックトランス１５に入力されると、前記フライバックトランス１５から出力されるパルス電圧は前記スイッチング電源ＯＦＦの期間でパルスが出力されない図２に示す波形のような波形となる。この場合マイクロコンピュータ１３は一定時間内のパルス数をカウントする。正常な動作ではｆＨ（水平周波数）に相当する数のパルスがカウントされるが間欠発振状態ではそれよりも少ないパルスしかカウントされないためマイクロコンピュータ１３は間欠発振が発生していると判断し、電源リレーコントロール１２により電源リレー７をＯＦＦさせ前記フライバックトランス１５に電源を供給しているスイッチング電源への電源供給を停止させる
【００１０】
【発明の効果】
以上のように本発明は、フライバックトランスのパルス電圧出力を振幅判別回路により検出すること、一定時間内のパルス数をカウントする構成にすることにより、フライバックトランスでの各巻き線間レイアショート、テレビジョン受像機回路の短絡異常、フライバックトランスの各巻き線間半ショートや半田接合部割れ、スイッチング電源の間欠発振などを精度良く検出できるテレビジョン受像機の保護回路装置を得ることができ、テレビジョン受像機の安全性の確保と信頼性の向上を実現するものである。
【図面の簡単な説明】
【図１】本発明の実施の形態におけるテレビジョン受像機の保護回路装置の構成ブロック図
【図２】本実施例におけるパルス電圧出力波形を示す図
【符号の説明】
７  電源リレー
１０  カウント回路
１１  振幅判別回路
１２  電源リレーコントロール
１３  マイクロコンピュータ
１５  フライバックトランス
１６  電圧変換回路
【図１】
2004187060.tif 000003
【図２】
2004187060.tif 000004